(57)【要約】【課題】排尿すると模様が表れることで幼児にその事態を容易に理解させることができ、かつ簡単かつ低コストにて実施できる使い捨ておむつを提供する。【解決手段】液透過性の内面シート３と液不透過性で半透明の外面シート２との間に吸収体４を介在させた使い捨ておむつ１において、外面シート２の吸収体４に接する内側面に、水分と接触しても変化しない不変模様１６を形成し、この不変模様１６の上にその一部又は全部に重なり、重なった部分で不変模様１６をほぼ見えなくする色を有するとともに水分と接触すると不変模様１６が見えるように変化する可変模様１７を形成した。【選択図】　　　　図３
2004057640.tif 000002
【特許請求の範囲】
【請求項１】
液透過性の内面シートと液不透過性で半透明の外面シートとの間に吸収体を介在させた使い捨ておむつにおいて、外面シートの吸収体に接する内側面に、水分と接触しても変化しない不変模様を形成し、この不変模様の上にその一部又は全部に重なり、重なった部分で不変模様をほぼ見えなくする色を有するとともに水分と接触すると不変模様が見えるように変化する可変模様を形成したことを特徴とする使い捨ておむつ。
【請求項２】
不変模様は非水溶性インキによる印刷にて形成し、可変模様は水分と接触すると溶けだす水溶性インキによる印刷にて形成したことを特徴とする請求項１記載の使い捨ておむつ。
【請求項３】
不変模様は非水溶性インキによる印刷にて形成し、可変模様は水や尿成分と接触すると反応して変色する変色インクによる印刷にて形成したことを特徴とする請求項１記載の使い捨ておむつ。
【請求項４】
不変模様は輪郭線と必要に応じてその内部に描かれた線画模様から成り、可変模様は輪郭線内の全面にべた印刷されていることを特徴とする請求項１〜３の何れかに記載の使い捨ておむつ。
【請求項５】
不変模様は線画模様から成り、可変模様は線画模様の一部に重ねて形成されたべた印刷模様であることを特徴とする請求項１〜３の何れかに記載の使い捨ておむつ。
【請求項６】
非水溶性インクの色と、水溶性インク若しくは変色前の変色インクの色とは、同系色であることを特徴とする請求項２〜５の何れかに記載の使い捨ておむつ。
【発明の詳細な説明】
【０００１】
【発明の属する技術分野】
本発明は、幼児、失禁者等を対象とする使い捨ておむつに関し、特に排尿したことを明瞭にかつ幼児などにも的確な印象を与えうるイメージをもって知らせることができる使い捨ておむつに関するものである。
【０００２】
【従来の技術】
使い捨ておむつは、フラット型とパンツ型に大別される。フラット型の使い捨ておむつは、液不透過性シートからなる外面シートと液透過性シートからなる内面シートとの間に吸収体を介在させた構成で、前ウェスト部から股間部を経て後ウェスト部に至る縦長形状に形成され、かつ前ウェスト部と後ウェスト部にそれぞれ両側外方に延出する前サイドフラップと後サイドフラップが設けられている。後サイドフラップには止着テープが設けられ、前ウェスト部にフロントターゲットテープが設けられており、着用者の背側に後ウェスト部を、腹側に前ウェスト部を当てがって、後サイドフラップの止着テープを前ウェスト部のフロントターゲットテープに止着することで、この使い捨ておむつを装着するように構成されている。
【０００３】
パンツ型の使い捨ておむつは、フラット型使い捨ておむつの前サイドフラップと後サイドフラップを予め接合して、左右一対のレッグ開口部とウェスト開口部を形成したもので、基本的構造はフラット型と同様である。
【０００４】
このような使い捨ておむつを着用した状態で排尿を知らせるために、使い捨ておむつの外面シートの内側にその湿気を検知して表示する手段を配置したものが、米国特許第３６７５６５４号明細書や米国特許第３９５２７４６号明細書に開示されている。
【０００５】
また、米国特許第４０２２２１１号明細書には、外面シートの内面に、一連のアルファベットのブロックが散在した模様を印刷するとともに、各ブロックの外枠線は、濡れても溶けないインキを使って印刷し、ブロック上のアルファベットの文字は水溶性又は水分散性のインキで印刷し、排尿によって濡れたときにその濡れた部分のアルファベットの文字が消えることで、排尿を知らせるようにしたものが開示されている。
【０００６】
さらに、実開平３−５８４１６号公報には、外面シートの内面に、水分と接触すると透明化するが水分と非接触状態では不透明な変色層を形成し、その吸収体側表面に、水分を透過する透過層を設け、この透過層に水分と接触しても変色しない着色を施し、排尿していない状態では変色層の色が外部から見えて透過層の着色は見えず、排尿によって濡れたときに変色層が透明になることによって透過層の着色が見えるようにしたものが開示されている。
【０００７】
【発明が解決しようとする課題】
ところが、米国特許第３６７５６５４号明細書や米国特許第３９５２７４６号明細書に開示されているように、単純に排尿を知らせるだけでは、幼児にトイレトレーニングを行うために、幼児に排尿後の使い捨ておむつを見せてもその事態を理解させるのは困難である。
【０００８】
また、米国特許第４０２２２１１号明細書に開示された構成では、排尿によって濡れた部分のアルファベットの文字が消えるものであるが、消えるといっても実際には水溶性インキで印刷したものが濡れることで、滲みながら薄くなって拡散するため、消えた部分が汚く見え、また幼児には文字が消えていても文字があった状態との差異を認識させるのは困難であり、上記と同様に幼児に排尿後の使い捨ておむつを見せてもその事態を理解させるのは困難である。
【０００９】
また、実開平３−５８４１６号公報に開示された構成では、排尿によって水分が変色層に接触すると、変色層が透明になって透過層の着色模様が見えるようになるため、幼児に排尿後の使い捨ておむつを見せることで、排尿した事態を容易に理解させることができるが、外面シートの内面に厚みが１０〜３０μｍ程度の変色層を形成し、その上に着色模様を有する透過層を形成する必要があるため、これらの層の印刷形成のためにコスト高になるとともに、変色層の作用を安定して確実に得るのが困難であるという問題がある。
【００１０】
本発明は、上記従来の問題点に鑑み、排尿すると模様が表れることで幼児にその事態を容易に理解させることができ、かつ簡単かつ低コストにて実施できる使い捨ておむつを提供することを目的とする。
【００１１】
【課題を解決するための手段】
本発明の使い捨ておむつは、液透過性の内面シートと液不透過性で半透明の外面シートとの間に吸収体を介在させた使い捨ておむつにおいて、外面シートの吸収体に接する内側面に、水分と接触しても変化しない不変模様を形成し、この不変模様の上にその一部又は全部に重なり、重なった部分で不変模様をほぼ見えなくする色を有するとともに水分と接触すると不変模様が見えるように変化する可変模様を形成したものであり、排尿前には不変模様と可変模様の色の関係で不変模様はほぼ見えず、排尿によって水分が可変模様に接触すると、その可変模様が変化して不変模様が見えるようになるため、幼児が関心を持つような主題の不変模様を形成しておくことで、幼児に排尿後の使い捨ておむつを見せることで、排尿した事態を容易に理解させることができ、かつその模様を話題にして幼児と話しをすることで知育にも役立てることができ、しかも外面シートの内側面にそれぞれのインクを用いて単純に不変模様と可変模様を重ね印刷するだけで良いので簡単かつ低コストにて実施することができる。
【００１２】
また、不変模様は非水溶性インキによる印刷にて形成し、可変模様は水分と接触すると溶けだす水溶性インキによる印刷にて形成すると、排尿によって水溶性インクに水分が接触することで水溶性インクが溶けだして可変模様が消え、その結果不変模様が明瞭に浮きだして模様が表れる。また、消える模様が滲みながら薄くなって拡散することで、消えた部分が多少汚くなったとしても、表れる不変模様が明瞭であるため、その汚さが目立たないばかりでなく、薄い地模様となって美観的に優れた模様が表れることになる。
【００１３】
また、不変模様は非水溶性インキによる印刷にて形成し、可変模様は水や尿成分と接触すると反応して変色する変色インクによる印刷にて形成すると、排尿によって変色インクに水分や尿成分が接触することで可変模様の色が変わり、その結果不変模様が明瞭に浮きだして模様が表れる。
【００１４】
また、不変模様は輪郭線と必要に応じてその内部に描かれた線画模様から成り、可変模様は輪郭線内の全面にべた印刷されていると、排尿によって水に濡れると、輪郭線とその内部の線画模様が表れることで、模様が一層明瞭に表れる。
【００１５】
また、不変模様は線画模様から成り、可変模様は線画模様の一部に重ねて形成されたべた印刷模様であると、模様の変化を大きくすることができ、幼児に対してより強い印象を与えることができる。
【００１６】
また、非水溶性インクの色と、水溶性インク若しくは変色前の変色インクの色とを、同系色とすることで、容易かつ確実に可変模様にて不変模様をほぼ見えなくすることができる。
【００１７】
【発明の実施の形態】
以下、添付図面を参照して本発明の使い捨ておむつの実施形態について説明し、本発明の理解に供する。なお、以下に示す実施形態は本発明を具体化した一例であって、本発明の技術的範囲を限定するものではない。
【００１８】
図１は、フラット型の使い捨ておむつ１の全体構成を示す。この使い捨ておむつ１は、液不透過性の外面シート２と液透過性の内面シート３との間に吸収体４（図３参照）を介在させた構成で、前ウェスト部５から股間部６を経て後ウェスト部７に至る縦長形状に形成されている。図３に示すように、外面シート２は透明ないし半透明のポリエチレンシートなどの液不透過性シート２ａの外面にクロスのような感触を与えるための薄い不織布２ｂを貼り合わせて構成され、内面シート３は不織布にて構成されている。
【００１９】
前ウェスト部５と後ウェスト部７間では、吸収体４の両側部に、糸ゴム等の弾性伸縮部材を伸長状態にして配置してシート２、３に接合することで立体ギャザー部８及びギャザリングされた外縁部９が形成され、前ウェスト部５と後ウェスト部７では、発泡ポリウレタンなどから成るテープ状の弾性伸縮部材をギャザリングしたシート２、３に接合することでウェストにフィットするように構成されている。前ウェスト部５及び後ウェスト部７には、それぞれ両側外方に延出する前サイドフラップ１１と後サイドフラップ１２が設けられている。
【００２０】
後サイドフラップ１２には止着テープ１３が設けられ、前ウェスト部５に止着テープ１３の止着面となるフロントターゲットテープ１４が設けられている。フロントターゲットテープ１４は、その表面に止着面を構成する易剥離面が設けられ、また目印線１４ａが表示されている。
【００２１】
この使い捨ておむつ１の装着時には、着用者の背側に後ウェスト部７、腹側に前ウェスト部５を当てがい、目印線１４ａを目安に着用者の体格、体型に応じて止着テープ１３の止着位置を決め、図２に示すように、フロントターゲットテープ１４に止着する。この止着テープ１３の止着によりレッグ開口部が形成され、着用者の股部分を外縁部９で包み込み、その内側に立体ギャザー部８が位置して尿漏れが防止される。
【００２２】
このような全体構成の使い捨ておむつ１において、股間部６の前部に、図２に示すように、排尿を知らせるための模様１５が設けられている。もちろん、前ウェスト部５から後ウェスト部７にわたって適当間隔置きに複数の模様１５を設けてもよい。模様１５は、図３に示すように、外面シート２の吸収体４に接する液不透過性シート２ａの内側面に印刷によって形成されている。また、模様１５は、非水溶性インキによる印刷にて形成され、水分と接触しても変化しない不変模様１６と、この不変模様１６の上にその一部又は全部に重なり、重なった部分で不変模様１６をほぼ見えなくする色を有するとともに、水分と接触すると溶けだして不変模様１６が見えるように変化する水溶性インキによる印刷にて形成された可変模様１７にて構成されている。
【００２３】
非水溶性インキは、無機顔料や有機顔料などの顔料が用いられる。無機顔料としては、二酸化チタン、アルミナホワイト、硫化亜鉛、紺青、沈降性硫酸バリウム、沈降性炭酸カルシウム、含水ケイ酸塩、マンガンバイオレット、アルミニウム粉、カーボンブラック等が用いられる。有機顔料としては、ナフトールグリーンＢ、ナフトールエローＳ、リソールレッド、ファストエロー、クロモフタールエロー、クロモフタールレッド、ピーコックブルーレーキ、アルカリブルーレーキ、ローダミンレーキ、フタロシアニンブルー、アントラピリジンエロー、キナクリドンレッド、ジオキサジンバイオレット、イソインドリノンエロー、昼光蛍光顔料等が用いられる。また、水溶性インキは、染料（水や有機溶剤などの溶媒に溶解し、分子の状態で染色されるもの）を用いることができる。
【００２４】
本実施形態では、不変模様１６は、図４（ｂ）に示すように、輪郭線と必要に応じてその内部に描かれた線画模様（図示例では「くまさん」の線画模様）から成り、可変模様１７は、図４（ａ）に示すように、その線画模様の輪郭線内の全面にべた印刷されている。そして、不変模様１６を形成する非水溶性インクの色と、可変模様１７を形成する水溶性インクの色とが同色若しくは同系色とされており、可変模様１７を形成している水溶性インクが溶けだして消える前は、図２及び図４（ａ）に示すように、不変模様１６は見えない状態となっている。
【００２５】
以上の構成によれば、使い捨ておむつ１を装着した状態で、排尿する前には上述のように不変模様１６と可変模様１７が同一若しくは同系の色であるため、図２及び図４（ａ）に示すように、不変模様１６がほぼ見えない。一方、排尿によって水分が可変模様１７に接触すると、水溶性インクが水に溶け出して可変模様１７が消えることで、図４（ｂ）に示すように、不変模様１６が明瞭に浮きだして見えるようになる。また、水溶性インクで形成された可変模様１７が滲みながら薄くなって拡散して消えることで、その消えた部分が多少汚くなったとしても、その結果表れる不変模様１６は明瞭であるため、その汚さが目立たないばかりでなく、薄い地模様となって美観的に優れた模様が表れることになる。特に、不変模様１６が輪郭線と必要に応じてその内部に描かれた線画模様から成っているため、可変模様１７が排尿によって水に濡れて消えることで、不変模様１６が一層明瞭に表れ、幼児に対しても強いイメージを与えることができる。
【００２６】
かくして、不変模様１６として、幼児が関心を持つような主題の模様（図示例では「くまさん」模様）を形成しておくと、排尿によって不変模様１６が見えるようになった使い捨ておむつ１を見せることで、幼児に排尿した事態を容易に理解させることができ、用便を便器で行わせるためのトイレトレーニングに効果的である。また、その不変模様１６を話題にして幼児と色々な話しをすることで知育にも役立てることができる。
【００２７】
また、上記構成では、外面シート２の内側面に単純に不変模様１６と可変模様１７をそれぞれのインクを用いて重ね印刷するだけで良いので簡単かつ低コストにて実施することができる。
【００２８】
また、以上の構成では、不変模様１６の非水溶性インクの色と可変模様１７の水溶性インクの色とを同色若しくは同系色とすることで、簡単かつ確実に可変模様１７にて不変模様１６がほぼ見えなくしているが、必ずしも同系色である必要はなく、例えば不変模様１６を明るい色の透明なインクで形成し、可変模様１７を暗い色のインクで形成しても、重ねて印刷することで不変模様１６を見えなくすることができる。例えば、消えるインクを青、消えないインクをピンクとするなど異ならせることによって、水分と接触していない時は、ピンクは全く見えないが、水で青色の染料が溶けて流れると、ピンク色（顔料）に変わるようにすることができる。
【００２９】
また、以上の構成では、不変模様１６は輪郭線と必要に応じてその内部に描かれた線画模様から成り、可変模様１７はその輪郭線内の全面にべた印刷した例を示したが、図５に示すように、不変模様１６は線画模様から成り、可変模様１７は線画模様の一部に重ねて形成されたべた印刷模様としてもよい。図５（ａ）の例では、不変模様１６は「たぬきさん」の線画模様からなり、可変模様１７は「目隠し」している手の形状のべた印刷からなっており、排尿すると、図５（ｂ）に示すように、可変模様１７が消えて「たぬきさん」の線画模様の全体が表れることになり、模様の変化を大きくすることができるので、幼児に対してより強い印象を与えることができる。
【００３０】
また、上記実施形態の説明では、可変模様１７を水分と接触すると溶けだす水溶性インキによる印刷にて形成した例を示したが、可変模様１７を水や尿成分と接触すると反応して他の色に変色したり、透明に変色する変色インクによる印刷にて形成してもよい。その変色インクとしては、例えば大阪印刷インキ製造（株）製のインクを好適に用いることができる。
【００３１】
このように、可変模様１７を水や尿成分と接触すると反応して変色する変色インクによる印刷にて形成すると、排尿によって変色インクに水分や尿成分が接触して可変模様１７の色が変わることで、不変模様１６をより一層明瞭に浮き出させたり、模様１５の変化を鮮明にでき、幼児に対する印象をより強くすることができる。
【００３２】
【発明の効果】
本発明の使い捨ておむつによれば、外面シートの吸収体に接する内側面に、水分と接触しても変化しない不変模様を形成し、この不変模様の上にその一部又は全部に重なり、重なった部分で不変模様をほぼ見えなくする色を有するとともに水分と接触すると不変模様が見えるように変化する可変模様を形成したので、排尿前には不変模様と可変模様の色の関係で不変模様はほぼ見えず、排尿によって水分が可変模様に接触すると、その可変模様が変化して不変模様が見えるようになるため、幼児が関心を持つような主題の不変模様を形成しておくことで、幼児に排尿後の使い捨ておむつを見せることで、排尿した事態を容易に理解させることができ、かつその模様を話題にして幼児と話しをすることで知育にも役立てることができ、しかも外面シートの内側面にそれぞれのインクを用いて単純に不変模様と可変模様を重ね印刷するだけで良いので簡単かつ低コストにて実施することができる。
【図面の簡単な説明】
【図１】本発明の使い捨ておむつの一実施形態の構成を示す斜視図である。
【図２】同実施形態の使い捨ておむつの正面図である。
【図３】図２のＡ−Ａ矢視拡大断面図である。
【図４】同実施形態における模様の一例を示し、（ａ）は排尿前の状態の正面図、（ｂ）は排尿後の状態の正面図である。
【図５】同実施形態における模様の他の例を示し、（ａ）は排尿前の状態の正面図、（ｂ）は排尿後の状態の正面図である。
【符号の説明】
１　使い捨ておむつ
２　外面シート
３　内面シート
４　吸収体
１５　模様
１６　不変模様
１７　可変模様
【図１】
2004057640.tif 000003
【図２】
2004057640.tif 000004
【図３】
2004057640.tif 000005
【図４】
2004057640.tif 000006
【図５】
2004057640.tif 000007